(57)【特許請求の範囲】
【請求項１】
取付部と、前記取付部の底部に装着される照明構成部品とを備える延長可能なＬＥＤ灯具であって、
前記照明構成部品は、２組の第１照明部と、第２照明部とを有し、２組の前記第１照明部が前記取付部の底部に掛止され、前記第２照明部が前記第１照明部の底部に装着されると共に、前記第１照明部を通り抜けて前記取付部と相連なり、
前記取付部は、壁板と、壁付け座とを有し、前記壁付け座上に収容槽が設けられ、前記壁板が前記収容槽の槽口上に覆設され、前記収容槽に前記壁付け座を貫通する摺動スロットと、突出体とが設けられ、
前記第１照明部は、第１蓋板、連結部品及び第１底板を含み、前記第１蓋板が前記第１底板上に覆設されると共に、第１収容空間を形成し、前記連結部品が前記第１収容空間内に装着され、前記第１蓋板上に取付スロットが設けられ、前記取付部は、前記突出体を通過して前記取付スロット内に掛止され、従って前記第１照明部上に装着され、前記第１蓋板上に取付孔がまた設けられ、前記連結部品は、前記取付孔を通り抜けて前記摺動スロット内に掛止されることを特徴とする延長可能なＬＥＤ灯具。
【請求項２】
前記取付部は、２組の壁板引掛金具と、電源とをまた有し、２組の前記壁板引掛金具は、それぞれ前記壁板の両側上に装着され、前記電源が前記収容槽内に装着され、前記電源は、前記第１照明部及び前記第２照明部と電気的に接続されることを特徴とする請求項１に記載の延長可能なＬＥＤ灯具。
【請求項３】
前記第１照明部は、銅板、第１透光板、第１灯管及び第１発光モジュールをまた含み、前記銅板、前記第１透光板、前記第１灯管及び前記第１発光モジュールは、いずれも前記第１収容空間内に装着されることを特徴とする請求項１に記載の延長可能なＬＥＤ灯具。
【請求項４】
前記第１灯管上に第１組立スロットが設けられ、前記第１発光モジュールが前記第１組立スロット内に装着され、前記第１透光板が前記第１組立スロットのスロット口上に装着され、前記第１発光モジュールの両側にいずれもシリコン栓が設けられることを特徴とする請求項３に記載の延長可能なＬＥＤ灯具。
【請求項５】
前記第１底板上に開口スロットが設けられることを特徴とする請求項１に記載の延長可能なＬＥＤ灯具。
【請求項６】
前記第２照明部は、第２蓋板、第２灯管、第２発光モジュール、第２透光板及び第２底板を含み、前記第２蓋板が前記第１底板上に覆設されると共に、第２収容空間を形成し、前記第２灯管、前記第２発光モジュール及び前記第２透光板は、いずれも前記第２収容空間内に装着されることを特徴とする請求項１に記載の延長可能なＬＥＤ灯具。
【請求項７】
前記第２蓋板上に若干の穿孔が設けられ、前記第２灯管上に第２組立スロットが設けられ、前記第２発光モジュールが前記第２組立スロット内に装着され、前記第２透光板が前記第２組立スロットのスロット口上に装着され、前記第２発光モジュールの両側にいずれもシリコン栓が設けられることを特徴とする請求項６に記載の延長可能なＬＥＤ灯具。
【請求項８】
前記第２底板上に若干の突起が設けられ、前記突起が、前記穿孔、開口スロット及び前記取付スロットを順次に通り抜けて前記突出体と相連なることを特徴とする請求項７に記載の延長可能なＬＥＤ灯具。 
【発明の詳細な説明】
【技術分野】
【０００１】
本発明は、ＬＥＤ灯具に関するものであり、さらに詳しくは、延長可能なＬＥＤ灯具に関するものである。
【背景技術】
【０００２】
ＬＥＤ灯具は、一枚の電界発光の半導体材料チップが、銀接着剤やその他の接着剤を用いてリードフレーム上に固定化された後、銀線や金線を用いてチップと電気回路基板を連結し、周囲をエポキシ樹脂を用いて密封することにより、内部芯線を保護し、最後に外筐を取付けて完成するものである。かかる構成により、得られるＬＥＤ灯具の耐震性能は良好となる。
【０００３】
しかしながら、前記の如き伝統的なＬＥＤ灯具は、その取付が済んだ後は、ＬＥＤ灯具の照明範囲は、すべて伸縮調節ができなくなることから、室内のレイアウトが異なることに起因して、照明装置としての品質に影響を及ぼしてしまうなど、環境や場面のニーズに基づいて照明範囲を調節することができず、従って使用上、不便を招くことになる状況にあった。
【発明の概要】
【発明が解決しようとする課題】
【０００４】
従って、本発明の課題は、前記の通り、従来技術における問題に対処すべく、照明範囲を調整可能とした延長可能なＬＥＤ灯具を提供することにある。
尚、本明細書において「照明範囲」とは、対象物に対する灯具からの光の照らす範囲をいう。すなわち、Ｘ線等による照射範囲に相当することを意味するものである。
【課題を解決するための手段】
【０００５】
そこで、本発明者は、前記の通りの本発明の課題を解決するため鋭意検討を重ねた結果、後述の如く、取付部と、取付部の底部に装着される照明構成部品とを備え、少なくとも、これらがそれぞれ特定されたＬＥＤ灯具が前記課題を解決できる点に着目し、かかる知見に基いて本発明に想到するに至った。
【０００６】
すなわち、かかる延長可能なＬＥＤ灯具は、取付部と、取付部の底部に装着される照明構成部品とを備え、照明構成部品は、２組の第１照明部と、第２照明部とを有し、２組の第１照明部が取付部の底部に掛止され、第２照明部が第１照明部の底部に装着されると共に、第１照明部を通り抜けて取付部と相連なり、取付部は、壁板と、壁付け座とを有し、壁付け座上に収容槽が設けられ、壁板が収容槽の槽口上に覆設され、収容槽の底部に壁付け座を貫通する摺動スロットと、突出体とが設けられ、第１照明部は、第１蓋板、連結部品及び第１底板を含み、第１蓋板が第１底板上に覆設されると共に、第１収容空間を形成し、連結部品が第１収容空間内に装着され、第１蓋板上に取付スロットが設けられ、取付部は、突出体を通過して取付スロット内に掛止され、従って第１照明部上に装着され、第１蓋板上に取付孔がまた設けられ、連結部品は、取付孔を通り抜けて摺動スロット内に掛止される。
【０００７】
さらに、取付部は、２組の壁板引掛金具と、電源とをまた有し、２組の壁板引掛金具は、それぞれ壁板の両側上に装着され、電源が収容槽内に装着され、電源は、第１照明部及び第２照明部と電気的に接続される。
【０００８】
第１照明部は、銅板、第１透光板、第１灯管及び第１発光モジュールをまた含み、銅板、第１透光板、第１灯管及び第１発光モジュールは、いずれも第１収容空間内に装着される。
【０００９】
第１灯管上に第１組立スロットが設けられ、第１発光モジュールが第１組立スロット内に装着され、第１透光板が第１組立スロットのスロット口上に装着され、第１発光モジュールの両側にいずれもシリコン栓が設けられる。
【００１０】
第１底板上に開口スロットが設けられる。
【００１１】
第２照明部は、第２蓋板、第２灯管、第２発光モジュール、第２透光板及び第２底板を含み、第２蓋板が第１底板上に覆設されると共に、第２収容空間を形成し、第２灯管、第２発光モジュール及び第２透光板は、いずれも第２収容空間内に装着される。
【００１２】
第２蓋板上に若干の穿孔が設けられ、第２灯管上に第２組立スロットが設けられ、第２発光モジュールが第２組立スロット内に装着され、第２透光板が第２組立スロットのスロット口上に装着され、第２発光モジュールの両側にいずれもシリコン栓が設けられる。
【００１３】
第２底板上に若干の突起が設けられ、突起が、穿孔、開口スロット及び取付スロットを順次に通り抜けて突出体と相連なる。
【００１４】
かくして、本発明の要旨は、次の（１）〜（８）に記載の通りのものである。
（１）取付部と、前記取付部の底部に装着される照明構成部品とを備える延長可能なＬＥＤ灯具であって、
前記照明構成部品は、２組の第１照明部と、第２照明部とを有し、２組の前記第１照明部が前記取付部の底部に掛止され、前記第２照明部が前記第１照明部の底部に装着されると共に、前記第１照明部を通り抜けて前記取付部と相連なり、
前記取付部は、壁板と、壁付け座とを有し、前記壁付け座上に収容槽が設けられ、前記壁板が前記収容槽の槽口上に覆設され、前記収容槽に前記壁付け座を貫通する摺動スロットと、突出体とが設けられ、
前記第１照明部は、第１蓋板、連結部品及び第１底板を含み、前記第１蓋板が前記第１底板上に覆設されると共に、第１収容空間を形成し、前記連結部品が前記第１収容空間内に装着され、前記第１蓋板上に取付スロットが設けられ、前記取付部は、前記突出体を通過して前記取付スロット内に掛止され、従って前記第１照明部上に装着され、前記第１蓋板上に取付孔がまた設けられ、前記連結部品は、前記取付孔を通り抜けて前記摺動スロット内に掛止されることを特徴とする延長可能なＬＥＤ灯具。
【００１５】
（２）前記取付部は、２組の壁板引掛金具と、電源とをまた有し、２組の前記壁板引掛金具は、それぞれ前記壁板の両側上に装着され、前記電源が前記収容槽内に装着され、前記電源は、前記第１照明部及び前記第２照明部と電気的に接続されることを特徴とする前記（１）に記載の延長可能なＬＥＤ灯具。
【００１６】
（３）前記第１照明部は、銅板、第１透光板、第１灯管及び第１発光モジュールをまた含み、前記銅板、前記第１透光板、前記第１灯管及び前記第１発光モジュールは、いずれも前記第１収容空間内に装着されることを特徴とする前記（１）に記載の延長可能なＬＥＤ灯具。
【００１７】
（４）前記第１灯管上に第１組立スロットが設けられ、前記第１発光モジュールが前記第１組立スロット内に装着され、前記第１透光板が前記第１組立スロットのスロット口上に装着され、前記第１発光モジュールの両側にいずれもシリコン栓が設けられることを特徴とする前記（３）に記載の延長可能なＬＥＤ灯具。
【００１８】
（５）前記第１底板上に開口スロットが設けられることを特徴とする前記（１）に記載の延長可能なＬＥＤ灯具。
【００１９】
（６）前記第２照明部は、第２蓋板、第２灯管、第２発光モジュール、第２透光板及び第２底板を含み、前記第２蓋板が前記第１底板上に覆設されると共に、第２収容空間を形成し、前記第２灯管、前記第２発光モジュール及び前記第２透光板は、いずれも前記第２収容空間内に装着されることを特徴とする前記（１）に記載の延長可能なＬＥＤ灯具。
【００２０】
（７）前記第２蓋板上に若干の穿孔が設けられ、前記第２灯管上に第２組立スロットが設けられ、前記第２発光モジュールが前記第２組立スロット内に装着され、前記第２透光板が前記第２組立スロットのスロット口上に装着され、前記第２発光モジュールの両側にいずれもシリコン栓が設けられることを特徴とする前記（６）に記載の延長可能なＬＥＤ灯具。
【００２１】
（８）前記第２底板上に若干の突起が設けられ、前記突起が、前記穿孔、前記開口スロット及び前記取付スロットを順次に通り抜けて前記突出体と相連なることを特徴とする前記（７）に記載の延長可能なＬＥＤ灯具。
【発明の効果】
【００２２】
本発明の有益な効果は、取付部の設置及び取付部の底部に装着される照明構成部品の設置を通じて、照明構成部品は、２組の第１照明部と、第２照明部とを有し、２組の第１照明部が取付部の底部に掛止され、２組の第１照明部が取付部の底部に摺動可能にされ、第２照明部が第１照明部の底部に装着されると共に、第１照明部を通り抜けて取付部と相連なり、従って伝統的なＬＥＤ灯具が環境や場面のニーズに基づいて投射範囲を調節することができない問題を解決し、実用性に強く、普及化により大きい意義を有することである。
【図面の簡単な説明】
【００２３】
【図１】本発明の一実施形態に係る延長可能なＬＥＤ灯具の構造図である。
【図２】図１に示した延長可能なＬＥＤ灯具の延長伸展図である。
【図３】図１に示した延長可能なＬＥＤ灯具の分解図である。
【図４】図１に示した延長可能なＬＥＤ灯具の壁付け座の構造図である。
【図５】図１に示した延長可能なＬＥＤ灯具の第１照明部の分解図である。
【図６】図１に示した延長可能なＬＥＤ灯具の第２照明部の分解図である。
【発明を実施するための形態】
【００２４】
本発明の目的、技術的解決策及び利点をより明瞭にするため、以下、添付図面に示した実施例に基づき本発明をさらに詳細に説明する。もっとも本発明は、かかる図面によって限定されるものではない。
【００２５】
図１〜図６のように、本発明に係る延長可能なＬＥＤ灯具は、仕切壁または天井板上に取り付けるために用いられ、取付部１０と、取付部１０の底部に装着される照明構成部品２０とを備える。照明構成部品２０は、２組の第１照明部２１と、第２照明部２２とを有し、２組の第１照明部２１が取付部１０の底部に掛止され、２組の第１照明部２１が取付部１０の底部に摺動可能にされる。第２照明部２２が第１照明部２１の底部に装着されると共に、第１照明部２１を通り抜けて取付部１０と相連なる。
【００２６】
取付部１０は、壁板１１と、２組の壁板引掛金具１２と、電源１３と、壁付け座１４とを有し、壁板１１が壁付け座１４上に覆設され、２組の壁板引掛金具１２は、それぞれ壁板１１の両側上に装着される。従って延長可能なＬＥＤ灯具を仕切壁または天井板上に取り付けることができる。壁付け座１４上に収容槽１４１が設けられ、電源１３が収容槽１４１内に装着される。収容槽１４１の底部に壁付け座１４を貫通する摺動スロット１４２と、突出体１４３とが設けられ、電源１３は、第１照明部２１及び第２照明部２２と電気的に接続され、従って第１照明部２１及び第２照明部２２に電気エネルギーを供給する。
【００２７】
第１照明部２１は、第１蓋板２１１、銅板２１２、第１透光板２１３、第１灯管２１４、連結部品２１５、第１発光モジュール２１６及び第１底板２１７を含み、第１蓋板２１１が第１底板２１７上に覆設されると共に、第１収容空間（未図示）を形成し、銅板２１２、第１透光板２１３、第１灯管２１４、連結部品２１５及び第１発光モジュール２１６は、いずれも第１収容空間内に装着される。第１蓋板２１１上に取付スロット２１８が設けられる。取付部１０は、突出体１４３を通過して取付スロット２１８内に掛止され、従って第１照明部２１上に装着され、第１蓋板２１１上に取付孔２１９がまた設けられ、連結部品２１５は、取付孔２１９を通り抜けて摺動スロット１４２内に掛止され、従って第１照明部２１が取付部１０の底部に摺動可能にされる目的を実現することが可能となる。銅板２１２は、第１照明部２１の摺動時に用いられ、骨組みの作用が働き、安定した状態に保持することができる。第１灯管２１４上に第１組立スロットが設けられ、第１発光モジュール２１６が第１組立スロット内に装着され、第１透光板２１３が第１組立スロットのスロット口上に装着され、第１発光モジュール２１６の両側にいずれもシリコン栓２３が設けられる。従って第１発光モジュール２１６を第１組立スロット内に強固に装着することができ、第１灯管２１４に変形が発生して第１組立スロット内の第１発光モジュール２１６に対して損傷を与えるのを避けることもできる。第１底板２１７上に開口スロット２５が設けられる。
【００２８】
第２照明部２２は、第２蓋板２２１、第２灯管２２２、第２発光モジュール２２３、第２透光板２２４及び第２底板２２５を含み、第２蓋板２２１が第１底板２１７上に覆設されると共に、第２収容空間（未図示）を形成する。第２灯管２２２、第２発光モジュール２２３及び第２透光板２２４は、いずれも第２収容空間内に装着される。第２蓋板２２１上に若干の穿孔２２６が設けられ、第２灯管２２２上に第２組立スロット（未図示）が設けられ、第２発光モジュール２２３が第２組立スロット内に装着され、第２透光板２２４が第２組立スロットのスロット口上に装着され、第２発光モジュール２２３の両側にいずれもシリコン栓２３が設けられ、従って第２発光モジュール２２３を第２組立スロット内に強固に装着することができ、第２灯管２２２に変形が発生して第２組立スロット内の第２発光モジュール２２３に対して損傷を与えるのを避けることもできる。第２底板２２５上に若干の突起２２７が設けられ、突起２２７が、穿孔２２６、開口スロット２５及び取付スロット２１８を順次に通り抜けて突出体１４３と相連なる。
【００２９】
本発明の有益な効果は、取付部１０の設置及び取付部１０の底部に装着される照明構成部品２０の設置を通じて、照明構成部品２０は、２組の第１照明部２１と、第２照明部２２とを有し、２組の第１照明部２１が取付部１０の底部に掛止され、２組の第１照明部２１が取付部１０の底部に摺動可能にされ、第２照明部２２が第１照明部２１の底部に装着されると共に、第１照明部２１を通り抜けて取付部１０と相連なり、従って伝統的なＬＥＤ灯具が環境や場面のニーズに基づいて投射範囲を調節することができない問題を解決し、実用性に強く、普及化により大きい意義を有することである。
【符号の説明】
【００３０】
１０        取付部
１１        壁板
１２        壁板引掛金具
１３        電源
１４        壁付け座
１４１      収容槽
１４２      摺動スロット
１４３      突出体
２０        照明構成部品
２１        第１照明部
２１１      第１蓋板
２１２      銅板
２１３      第１透光板
２１４      第１灯管
２１５      連結部品
２１６      第１発光モジュール
２１７      第１底板
２１８      取付スロット
２１９      取付孔
２２        第２照明部
２２１      第２蓋板
２２２      第２灯管
２２３      第２発光モジュール
２２４      第２透光板
２２５      第２底板
２３        シリコン栓
２５        開口スロット
２２６      穿孔
２２７      突起
【図１】
0006956939.tif 000002
【図２】
0006956939.tif 000003
【図３】
0006956939.tif 000004
【図４】
0006956939.tif 000005
【図５】
0006956939.tif 000006
【図６】
0006956939.tif 000007